【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
ディスプレイ（１０）用バックライトであって、バックライトは複数の異なって有色された光源（３０）を含み、バックライトは、前記複数の異なって有色された光源（３０）により生じる非均一空間光学色特性を有する色出力を有し、かつ、非均一空間光学色特性を少なくとも部分的に補償するように色を変化させ、それにより空間的により均一な色出力を生成するための非均一空間パターンを有する光学フィルタ（２０）を有する、バックライト。
【請求項２】
非均一空間パターンを有する光学フィルタ（２０）は、前記複数の異なって有色された光源（３０）により生じる色出力が非均一空間パターン上のポイント毎に変化する、バックライトにおける場所に設けられる、請求項１に記載のバックライト。
【請求項３】
複数の異なって有色された光源（３０）は、光アウトカプリング側に面するバックライトの空洞の後壁におけるニッチに設けられ、光学フィルタ（２０）は、バックライトの空洞の後壁上またはバックライトの光アウトカプリング側に設けられる非均一空間パターンを有する、請求項２に記載のバックライト。
【請求項４】
バックライトはさらに非均一空間光学輝度特性を有し、光学フィルタ（２０）はさらに、非均一空間光学輝度特性を少なくとも部分的に補償するように輝度を変化させるための空間パターンを有する、請求項１乃至請求項３のいずれかに記載のバックライト。
【請求項５】
複数の異なって有色された光源（３０）は、カラーＬＥＤまたはＯＬＥＤを含む、請求項１乃至請求項４のいずれかに記載のバックライト。
【請求項６】
光学フィルタ（２０）は、イエロー、シアンおよびパープル領域のうち少なくとも２つを有する、請求項１乃至請求項５のいずれかに記載のバックライト。
【請求項７】
光学フィルタ（２０）はドットを有する層を含む、請求項１乃至請求項６のいずれかに記載のバックライト。
【請求項８】
空間パターンは多層を有する、請求項１乃至請求項７のいずれかに記載のバックライト。
【請求項９】
空間パターンは空間光変調器（１０）の空間非均一性の前補償を行うように付加的に配置される、請求項１乃至請求項８のいずれかに記載のバックライト。
【請求項１０】
複数の光源（３０）は、後壁に実質的に平行に光を向けるように配置され、後壁はバックライトから外に光を向け直すための反射器を有する、請求項３に従属する限りにおいて請求項１乃至請求項９のいずれかに記載のバックライト。
【請求項１１】
空間パターンは光学フィルタ（２０）上の異なる色の空間的配分を含む、請求項１乃至請求項１０のいずれかに記載のバックライト。
【請求項１２】
アドレス可能ピクセルを含み、入力信号に応じて各ピクセルの輝度を動的に制御するための空間光変調器（１０）を有するディスプレイであって、空間光変調器（１０）は、非均一空間光学特性を有し、ディスプレイはまた光学フィルタ（２０）を有し、輝度および／または色を変化させて非均一空間光学特性を少なくとも部分的に補償するための空間パターンを有し、また非均一空間光学特性の何らかの前補償を入力信号に適用するように配置された電子信号処理素子（４０）を有する、ディスプレイ。
【請求項１３】
前補償は、主に空間パターンの空間周波数よりも高い空間周波数である、請求項１２に記載のディスプレイ。
【請求項１４】
空間光変調器（１０）は反射または透過装置を含み、ディスプレイは光源を含む、請求項１２または１３のいずれかに記載のディスプレイ。
【請求項１５】
光源は、第２の非均一空間光学特性を有し、光学フィルタ（２０）は少なくとも部分的に第２の非均一空間光学特性を補償するように配置される、請求項１４に記載のディスプレイ。
【請求項１６】
空間光変調器（１０）はピクセルアドレス可能発光装置を含む、請求項１２乃至請求項１５のいずれかに記載のディスプレイ。
【請求項１７】
光学フィルタ（２０）は印刷されたドットを有する層を含む、請求項１２乃至請求項１６のいずれかに記載のディスプレイ。
【請求項１８】
光学フィルタ（２０）はラインパターンを有する層を含む、請求項１２乃至請求項１７のいずれかに記載のディスプレイ。
【請求項１９】
光学フィルタ（２０）は動的に変化可能な空間パターンを含む、請求項１２乃至請求項１８のいずれかに記載のディスプレイ。
【請求項２０】
光学フィルタ（２０）は空間光変調器の下流に配置される、請求項１２乃至請求項１９のいずれかに記載のディスプレイ。
【請求項２１】
非均一空間光学特性はコントラスト比、輝度、および色点のいずれかを含む、請求項１２乃至請求項２０のいずれかに記載のディスプレイ。
【請求項２２】
ディスプレイはさらに、意図的に非均一出力を有するバックライトシステムを含む、請求項１２乃至請求項２１のいずれかに記載のディスプレイ。
【請求項２３】
前補償は、バックライトシステムの光源を空間的に変調することにより行われる、請求項２２に記載のディスプレイ。
【請求項２４】
アドレス可能ピクセルと、１つ以上のピクセルの輝度および／または色を動的に制御するためにディスプレイ素子の輝度または色の非均一性を補償するための光学フィルタ（２０）とを有するディスプレイを構成する方法であって、
フィルタ（２０）を用いずに異なるピクセルに対する出力を測定する工程と、
測定に従ってフィルタ（２０）用パターンを決定する工程と、
電子的前補償の量を決定する工程と、
フィルタ（２０）を作製する工程と、
ディスプレイに対する電子的前補償を構成する工程と、
を含む方法。
【請求項２５】
フィルタ（２０）を用いて、異なるピクセルに対する出力を測定して、測定に従ってさらなるフィルタ用パターンを決定して、ディスプレイ用のさらなるフィルタを作製するさらなる工程を有する、請求項２４に記載の方法。
【手続補正２】
【補正対象書類名】明細書
【補正対象項目名】００１６
【補正方法】変更
【補正の内容】
【００１６】
第１の態様によると、本発明は、アドレス可能ピクセルを含み、入力信号に応じて各ピクセルの輝度を動的に制御するための空間光変調器を有するディスプレイであって、空間光変調器は、非均一空間光学特性を有し、ディスプレイはまた光学フィルタを有し、輝度および／または色を変化させて非均一空間光学特性を少なくとも部分的に補償するための空間パターンを有し、また非均一空間光学特性の何らかの前補償を入力信号に適用するように配置された電子信号処理素子を有する、ディスプレイを提供する。
【手続補正３】
【補正対象書類名】明細書
【補正対象項目名】００２１
【補正方法】変更
【補正の内容】
【００２１】
別のかかるさらなる特徴は、光源は第２の非均一空間光学特性を有する光源であり、光学フィルタは少なくとも部分的に第２の非均一空間光学特性を補償するように配置されることである。
【手続補正４】
【補正対象書類名】明細書
【補正対象項目名】００２８
【補正方法】変更
【補正の内容】
【００２８】
別のかかるさらなる特徴は、非均一空間光学特性はコントラスト比、輝度、および色点のいずれかを含むことである。
【手続補正５】
【補正対象書類名】明細書
【補正対象項目名】００４６
【補正方法】変更
【補正の内容】
【００４６】
図１〜図３、本発明の実施形態の概略図
図３は、空間光変調器１０に結合された光源３０と補償空間パターンを有する光学フィルタ２０とを有するディスプレイの実施形態の概略図を示す。空間光変調器は反射（例えば、ＤＭＤ）、透過（例えば、ＬＣＤ）、または放射変調器（ＬＥＤまたはＯＬＥＤディスプレイ）であり得る。空間光変調器およびオプションとして光源も、例えば輝度、色またはコントラスト比などの非均一空間光学特性を有する。フィルタの空間パターンは、ディスプレイ素子の非均一空間光出力特性を少なくとも部分的に補償するように輝度を変化させるように配置される。前補償が単一処理部４０（適宜デジタルまたはアナログ）により提供され、ディスプレイ素子の非均一空間光出力特性に対する入力信号の何らかの補償を実行する。これは、本明細書でより詳細に説明する必要のない確立された原則に従って、従来の信号処理ハードウェアを使用して実施され得る。電子的補償は例えばフレームバッファを採用し得、より高い空間周波数に対して使用され、より低い空間周波数を光学フィルタによって補償するように残し得る。空間光変調器は、反射または透過装置または発光装置、またはその任意の組み合わせを含む任意のタイプの装置であり得る。光学フィルタは当然、透過、反射、適応、能動または受動、蛍光などであり得る。
【手続補正６】
【補正対象書類名】明細書
【補正対象項目名】００４８
【補正方法】変更
【補正の内容】
【００４８】
図１は、図３に基づいた別の実施形態を示し、同様の参照番号が適宜使用される。この場合、フィルタは空間光変調器の後ろ、または下流にある。出力を測定し、空間パターンと電子的前補償の量の観点からどのような補償を適用するかを決定するための手段も提供され得る。
【手続補正７】
【補正対象書類名】明細書
【補正対象項目名】００４９
【補正方法】変更
【補正の内容】
【００４９】
図２は、図３の実施形態に対応しているが、この場合電子的前補償がない別の実施形態を示す。空間光変調器１０は、輝度空間非均一性を有し、光学フィルタ２０は、補償輝度空間パターンを提供するように配置される。オプションとして、フィルタも光源における非均一性を補償し得る。フィルタは空間光変調器の手前に位置付けされ得る。
【手続補正８】
【補正対象書類名】明細書
【補正対象項目名】００５０
【補正方法】変更
【補正の内容】
【００５０】
ディスプレイコントラスト比
輝度均一補正を光学補正と電子補正とに分割することにより、均一性を高く保ちつつ、コントラストを大幅に改善することが可能である。さらなる特徴は、補正を高周波と低周波部分とに分割することである。低周波補正は、修正されたバックライトシステムによって、または光学スタック（箔など）に設置される光学素子によって実行され得る。高周波補正はディスプレイ装置において電子的に実行され得る。典型的には、低周波補正は、例えば、ディスプレイのボーダに近い、ピーク輝度補正に対して最大例えば２０％から３０
％ピークまで大きくなり得る。図４は、１つのディメンション例えばｘ軸で見た、補正前の非均一空間光学特性の例を示す。本発明の実施形態は、パネル光および／またはディスプレイの非均一性を補償するように光学特性が空間的に変化するフィルタを利用する。かかるフィルタを作るいかなる方法も、例えば、写真フィルム、ペイント層、ドットパターンは、本発明の範囲に含まれる。
【手続補正９】
【補正対象書類名】明細書
【補正対象項目名】００５１
【補正方法】変更
【補正の内容】
【００５１】
一例として、図５は、この非均一性を補償するように、真中にドットの集中化を有してより少ない光を通過させるフィルタパターンを示す。図６は部分的補償の後のより均一な空間光学特性を示す。これはプラスマイナス５％の輝度差を残すが、従来の電子的手段によって補償される場合、対応する５％コントラスト損失を暗に意味する。
【手続補正１０】
【補正対象書類名】明細書
【補正対象項目名】００５９
【補正方法】変更
【補正の内容】
【００５９】
図７は、色の非均一空間光学特性を有するディスプレイの例である。１つコーナーは他の領域よりもグリーンで、他の３つのコーナーはより暗い。図８は、補償する空間パターンを備える光学フィルタの一例を示す。１つのコーナーではグリーン領域を補償するためにパープルドットの領域が設けられる。他のコーナーでは、ホワイトドットはより少なく、多くの光を通過させてより暗いコーナーを補償する。
【手続補正１１】
【補正対象書類名】明細書
【補正対象項目名】００７６
【補正方法】変更
【補正の内容】
【００７６】
【図１】概略的な形式で本発明の実施形態を示す。
【図２】概略的な形式で本発明の実施形態を示す。
【図３】概略的な形式で本発明の実施形態を示す。
【図４】本実施形態において使用される特性を示す。
【図５】本実施形態において使用されるパターンを示す。
【図６】本実施形態において使用される特性を示す。
【図７】色の非均一空間光学特性を有するディスプレイの例を示す図である。
【図８】本実施形態において使用されるパターンを示す。
【図９】実施形態が適用され得るバックライト配置を示す。
【図１０】実施形態が適用され得るバックライト配置を示す。
【図１１】光学フィルタのパターンおよびカラーＬＥＤ配列の平面図を示す。